(57)【要約】【課題】縦横表示それぞれにおいて、指向性表示を行うこと。【解決手段】液晶パネルのバックライトであるＢＬ１０は、横表示において指向性表示を行うための横発光画素Ｌｙと、縦表示において指向性表示を行うための縦発光画素Ｌｔと、縦横表示のいずれの指向性表示においても共通に用いられる共通発光画素Ｌｃとを備えている。横表示においては横発光画素Ｌｙを含む横発光画素列Ｌｙ1，Ｌｙ2…が選択的に点灯され、縦表示においては縦発光画素Ｌｔを含む横発光画素行Ｌｔ1，Ｌｔ2…が選択的に点灯される。よって、横表示および縦表示、それぞれにおいて指向性表示を行うことができる。【選択図】図７
2010032678.tif 000002
【特許請求の範囲】
【請求項１】
複数の画素が行列をなして配置された表示領域を有する液晶パネルと、複数の発光画素を有し、前記表示領域を背面から照明する面発光装置とを、備えた表示パネルであって、
前記発光画素には、前記行列における画素行の延在方向において連続する２つの画素からなる画素対ごとに、前記２つの画素間に跨って配置された横発光画素と、
前記行列における画素列の延在方向において連続する２つの画素行である画素行対ごとに、前記２つの画素行間に跨って配置された縦発光画素と、が設けられ、
前記横発光画素と前記縦発光画素とは、選択的に点灯可能に設けられていることを特徴とする表示パネル。
【請求項２】
前記画素行の延在方向を略水平方向とした第１表示姿勢において、
前記画素列の延在方向に連続する前記画素行における前記横発光画素の位置が、前記画素行ごとに前記画素一つ分ずつ前記延在方向にシフトして配置されていることを特徴とする請求項１に記載の表示パネル。
【請求項３】
前記画素の各々は、赤色、緑色、青色のうち、いずれか１色の画素であり、
前記赤色、緑色、青色の３色の画素から１つのカラー画素が形成され、
前記画素行においては、前記３色の画素配列を繰り返して前記カラー画素が配列され、
前記画素列においては、前記３色のうち、１色の前記画素が連続して配置されていることを特徴とする請求項１または２に記載の表示パネル。
【請求項４】
前記表示領域に重なる領域において、前記横発光画素と前記縦発光画素とが形成されていない部分に配置された補完発光画素をさらに備え、
前記横発光画素、および前記縦発光画素、並びに前記補完発光画素を同時に点灯させることにより、前記表示領域全面を照射可能に設けられたことを特徴とする請求項１〜３のいずれか一項に記載の表示パネル。
【請求項５】
複数の前記横発光画素、複数の前記縦発光画素、および複数の前記補完発光画素は、それぞれが、配線によって電気的に１つのセグメントとして接続されていることを特徴とする請求項１〜４のいずれか一項に記載の表示パネル。
【請求項６】
請求項１〜５のいずれか一項に記載の表示パネルと、
前記液晶パネルに２次元画像信号、または３次元画像信号を供給する画像信号処理部と、
前記供給される画像信号の種類に応じて、少なくとも前記面発光装置の点灯態様を切換える制御部とを、備え、
前記制御部は、前記２次元画像信号が供給されるときには、前記横発光画素、および前記縦発光画素、並びに前記補完発光画素を同時に点灯させることを特徴とする表示装置。
【請求項７】
前記液晶パネルの姿勢を検知する姿勢センサをさらに備え、
前記制御部は、前記供給される画像信号が前記３次元画像信号であるときに、
前記検知された検知データによる姿勢が前記第１表示姿勢であった場合には、前記横発光画素を選択的に点灯し、
前記検知データにより検知された姿勢が前記第１表示姿勢を９０°回転させた第２表示姿勢であった場合には、前記縦発光画素を選択的に点灯することを特徴とする請求項６に記載の表示装置。
【請求項８】
前記制御部は、前記３次元画像信号が供給されている場合、
前記横発光画素、または前記縦発光画素に加える点灯電圧を、前記２次元画像信号が供給されているときの点灯電圧の約２倍とすることを特徴とする請求項６または７に記載の表示装置。
【請求項９】
請求項６〜８のいずれか一項に記載の表示装置を備えたことを特徴とする電子機器。
【発明の詳細な説明】
【技術分野】
【０００１】
本発明は、表示パネル、および表示装置、並びに当該表示装置を備えた電子機器に関する。
【背景技術】
【０００２】
特許文献１（例えば、図１）には、液晶パネルの表面に、所定パターンの開口部を有する遮光性の光学フィルタ（以降、「視差バリア」という）を重ねることで、複数の異なる画像（例えば第１の画像と第２の画像）を互いに異なる範囲に指向性表示する表示装置が開示されている。
この表示装置は、視差バリアにより、視角に応じて異なる画素がマスク（遮光）されること、換言すれば、視角に応じて異なる画素からの光が開口部を通して視認されることを利用したものである。このような指向性表示が可能な表示装置によれば、例えば、第１の画像と第２の画像とを異なる人物に同時に視認させることができる。また、第１の画像を構成する光が左目に、第２の画像を構成する光が右目に入射するような構成とすれば、立体表示を行うこともできる。
【０００３】
特許文献２（例えば、図１）には、液晶パネルの背面側に、垂直方向に延在した複数のライン状の光源が形成されたバックライトを備えた表示装置が開示されている。ライン状光源は、液晶パネルの垂直方向における隣り合う２つの画素列の間に配置され、また、それぞれのライン状光源間には間隙が設けられ、縦方向のストライプ状をなしている。
この表示装置においても、前述した表示装置と同様な指向性表示が可能であった。これは、光を出射するライン状光源と、光を出射しないライン状の遮光部（ライン状光源間の間隙）とを有する平面光源が、視差バリアの機能も果たしているからである。
【０００４】
また、このような表示装置に対する市場の要望としては、前述した指向性表示に加えて、表示の縦横方向を切換える、いわゆる「縦横表示」を行いたいという要望もある。
例えば、携帯電話において、横長のワイド画面でワンセグ放送を鑑賞しているときに、滝の画像や、エッフェル塔などの縦長画像が表示された場合、画面を縦方向に回して、その縦長の画面に対して、正対した縦長画像を画面一杯に表示したいという要望があった。
【０００５】
【特許文献１】特開平８−１１１２８６号公報
【特許文献２】米国特許第５３４９３７９号明細書
【発明の開示】
【発明が解決しようとする課題】
【０００６】
しかしながら、前述した従来の表示装置では、縦横表示それぞれにおいて、指向性表示を行うことは困難であるという課題があった。
また、通常の２次元画像を表示する表示装置において、スイッチの切換操作によって、縦横表示の切換えを実現したものは知られていたが、表示画面の姿勢を検知して表示を切換えるものは、見当たらなかった。
【課題を解決するための手段】
【０００７】
本発明は、上記課題の少なくとも一部を解決するためになされたものであり、以下の適用例又は形態として実現することが可能である。
【０００８】
（適用例）
複数の画素が行列をなして配置された表示領域を有する液晶パネルと、複数の発光画素を有し、表示領域を背面から照明する面発光装置とを、備えた表示パネルであって、発光画素には、行列における画素行の延在方向において連続する２つの画素からなる画素対ごとに、２つの画素間に跨って配置された横発光画素と、行列における画素列の延在方向において連続する２つの画素行である画素行対ごとに、２つの画素行間に跨って配置された縦発光画素と、が設けられ、横発光画素と縦発光画素とは、選択的に点灯可能に設けられていることを特徴とする表示パネル。
また、画素行の延在方向を略水平方向とした第１表示姿勢において、画素列の延在方向に連続する画素行における横発光画素の位置が、画素行ごとに画素一つ分ずつ延在方向にシフトして配置されていることが好ましい。
【０００９】
この表示パネルによれば、第１表示姿勢（横表示）においては、画素行の延在方向において連続する２つの画素からなる画素対ごとに２つの画素間に跨って配置された横発光画素を選択的に点灯させることができる。
また、第１表示姿勢を９０°回転させた第２表示姿勢（縦表示）においては、画素列の延在方向において連続する２つの画素行である画素行対ごとに、２つの画素行間に跨って配置された縦発光画素を選択的に点灯させることができる。
従って、横表示および縦表示、それぞれにおいて指向性表示を行うことができる表示パネルを提供することができる。
【００１０】
画素の各々は、赤色、緑色、青色のうち、いずれか１色の画素であり、赤色、緑色、青色の３色の画素から１つのカラー画素が形成され、画素行においては、３色の画素配列を繰り返してカラー画素が配列され、画素列においては、３色のうち、１色の画素が連続して配置されていることが好ましい。
また、表示領域に重なる領域において、横発光画素と縦発光画素とが形成されていない部分に配置された補完発光画素をさらに備え、横発光画素、および縦発光画素、並びに補完発光画素を同時に点灯させることにより、表示領域全面を照射可能に設けられていることが好ましい。
また、複数の横発光画素、複数の縦発光画素、および複数の補完発光画素は、それぞれが、配線によって電気的に１つのセグメントとして接続されていることが好ましい。
【００１１】
上記記載の表示パネルと、液晶パネルに２次元画像信号、または３次元画像信号を供給する画像信号処理部と、供給される画像信号の種類に応じて、少なくとも面発光装置の点灯態様を切換える制御部とを、備え、制御部は、２次元画像信号が供給されるときには、横発光画素、および縦発光画素、並びに補完発光画素を同時に点灯させることを特徴とする表示装置。
【００１２】
また、液晶パネルの姿勢を検知する姿勢センサをさらに備え、制御部は、供給される画像信号が３次元画像信号であるときに、検知された検知データによる姿勢が第１表示姿勢であった場合には、横発光画素を選択的に点灯し、検知データにより検知された姿勢が第１表示姿勢を９０°回転させた第２表示姿勢であった場合には、縦発光画素を選択的に点灯することが好ましい。
また、制御部は、３次元画像信号が供給されている場合、横発光画素、または縦発光画素に加える点灯電圧を、２次元画像信号が供給されているときの点灯電圧の約２倍とすることが好ましい。
【００１３】
上記記載の表示装置を備えたことを特徴とする電子機器。
【発明を実施するための最良の形態】
【００１４】
以下、本発明の実施形態について、図面を参照して説明する。なお、以下の各図においては、各層や各部材を図面上で認識可能な程度の大きさとするため、各層や各部材毎に縮尺を異ならしめてある。
【００１５】
（実施形態１）
「表示装置の概要」
図１は、本実施形態に係る表示装置を備えた電子機器の一態様を示す図である。図２は、表示装置における表示領域の平面図である。
まず、本発明の実施形態１に係る表示装置１００の概要について、図１と図２を用いて説明する。
【００１６】
図１（ａ）には、表示装置１００を搭載した携帯型のＭＭＰ（マルチメディアプレーヤ）２００が示されている。ＭＭＰ２００は、内蔵のハードディスクドライブや、メモリデバイスなどに記憶されている音楽や、動画、写真などを再生可能に設けられている。
ＭＭＰ２００には、本実施形態に係る表示装置１００が組み込まれている。表示装置１００には、矩形（長方形）をなした表示パネル７０が備えられており、図１（ａ）においては、表示パネル７０の長辺が上下に位置した状態、換言すれば、横長の表示姿勢になっている。また、この表示姿勢のことを、第１表示姿勢、または横表示という。
なお、ここでの上下とは、天地の方向を指している。また、図１（ａ）にて、矢印で示した方向は、重力Ｇの方向を示しており、表示パネル７０は、略鉛直な状態で、かつ横表示となっている。
【００１７】
横表示となっている表示パネル７０には、直立した人物の２次元画像ｊが表示されている。画像ｊの人物は、頭部を上に向けて略正対した状態で表示されている。
図１（ｂ）は、横表示となっていた表示パネル７０を、紙面に向かって右方向に９０°回転させて、短辺が上下に位置した状態、換言すれば、縦長の表示姿勢とした状態を示している。また、この表示姿勢のことを、第２表示姿勢、または縦表示という。
図１（ｂ）に示すように、表示パネル７０を縦表示にした場合であっても、画像ｊは、頭部を上に向けて略正対した状態で表示されている。これが、表示装置１００の特徴の一つであり、内蔵した姿勢センサなどの働きにより、表示パネル７０の姿勢（縦横）が変化しても常に画像の上方が表示パネル７０の上方となるように、表示駆動がなされている。
つまり、表示装置１００によれば、表示パネル７０の姿勢（縦横）が変化した場合であっても、常に正対した画像を表示することができる。
【００１８】
また、上記説明においては、説明を簡略化するために２次元画像を用いて説明したが、表示装置１００によれば、縦表示および横表示のいずれの状態であっても、立体表示を含む指向性表示を行うことができる。これも、表示装置１００の特徴の一つである。
続いて、指向性表示の概要について説明する。
図２は、横表示における表示パネル７０の平面図であり、表示領域を構成する複数の画素Ｐ11〜Ｐmnがｍ行ｎ列に配列された様子が示されている。図２において、Ｘ軸は横表示における長辺の延在方向に相当し、Ｙ軸は短辺の延在方向に対応している。
画素Ｐ11は、図２の紙面に向かって最上段の画素行における最も左側に位置し、基準となる画素（以降、「基準画素」ともいう）である。当該画素からＸ軸（＋）方向には、画素Ｐ11〜Ｐ1nまでの画素行（以降、「画素行Ｐ11」ともいう）が形成されている。また、画素Ｐ11は赤色の画素Ｒ、画素Ｐ12は緑色の画素Ｇ、画素Ｐ13は青色の画素Ｂというように、画素行において３つの画素ごとにＲＧＢの色画素が繰り返し配置されている。
【００１９】
また、画素Ｐ11からＹ軸（−）方向には、画素Ｐ11〜Ｐm1までの画素列（以降、「画素列Ｐ11」ともいう）が形成されている。同様に、各画素Ｐ12〜Ｐ1nにおいても、Ｙ軸（−）方向に、それぞれの画素列が形成されている。
各画素列Ｐ11〜Ｐ1nの色調は、最上段の画素行Ｐ11における対応する画素の色調と同一になっている。
表示パネル７０は、図２では省略しているが、透過型の液晶パネルと、当該液晶パネルの背面に配置されたバックライト（ＢＬ）とから構成されている。バックライトは、複数の発光画素を備えており、図１のように、２次元画像を表示する場合には、液晶パネルの全画素に２次元画像信号が供給されるとともに、バックライトの全ての発光画素が点灯される。
【００２０】
図３は、横表示における指向性表示の説明図。図４は、縦表示における指向性表示の説明図である。
これに対して、指向性表示を行う場合には、画素行において、右目用の画像データと、左目用の画像データとが隣り合う画素にそれぞれ供給され、かつ、当該２つの画素間に跨る領域が選択的に点灯される。なお、以降の説明において、当該隣り合う２つの画素のことを画素対ともいう。また、右目用の画像データと左目用の画像データとを括って、「３次元画像信号」ともいう。
図３に示すように、表示パネル７０は、液晶パネル５０と、その背面に配置されたＢＬ（バックライト）１０とを含んで構成されている。また、図３では、説明を簡単にするために、図１（ａ）の横表示における最上段の画素行Ｐ11を抜き出して、その断面を示している。
【００２１】
まず、横表示の場合、例えば、画素対「Ｐ11,Ｐ12」の第１画素である画素Ｐ11には左目用の画像信号が供給され、第２画素である画素Ｐ12には右目用の画像信号が供給される。つまり、画素行Ｐ11における偶数画素Ｐ12,Ｐ14,Ｐ16…には右目用の画像信号が供給され、奇数画素Ｐ11,Ｐ13,Ｐ15…には左目用の画像信号が供給される。また、ＢＬ１０において、奇数画素Ｐ11,Ｐ13,Ｐ15…と、それぞれ隣り合う偶数画素Ｐ12,Ｐ14,Ｐ16…との間で平面的に跨る部分の発光画素Ｌｙが選択的に点灯される。
この構成により、図３に示されるように、液晶パネル５０に対して右方向から観察する視点ＶＲからは、偶数画素Ｐ12,Ｐ14，Ｐ16…に表示された画像が観察される。また、液晶パネル５０に対して左方向から観察する視点ＶＬからは、奇数画素Ｐ11,Ｐ13,Ｐ15…に表示された画像が観察される。
これは、発光画素Ｌｙと、隣り合う発光画素Ｌｙ間の非点灯の発光画素Ｌａとが視差バリアとして機能するためであり、これにより指向性表示を実現している。
【００２２】
次に、縦表示の場合、図１（ｂ）に示すように表示パネル７０が９０°回転した状態となっているため、画素Ｐ11の位置が、紙面における右上の位置になっている。
このため、縦表示における最上段の画素行を抜き出すと、図４に示すように、Ｐm1,Ｐm1-1、…Ｐ31,Ｐ21,Ｐ11という配置になる。つまり、縦表示の場合、図２における画素列Ｐ11が最上段の画素行となる。なお、以降の説明においては、混乱を防ぐために、行および列の表現を含めて、図２の画素配列に基づいて説明する。
縦表示の場合、画素列Ｐ11における奇数画素Ｐ11,Ｐ31，Ｐ51…には右目用の画像信号が供給され、偶数画素Ｐ21,Ｐ41,Ｐ61…には左目用の画像信号が供給される。また、ＢＬ１０において、奇数画素Ｐ11,Ｐ31,Ｐ51…と、それぞれ隣り合う偶数画素Ｐ21，Ｐ41，Ｐ61…との間で平面的に跨る部分の発光画素Ｌｔが選択的に点灯される。
これにより、横表示のときと同様に縦表示においても視点ＶＲ、および視点ＶＬからの指向性表示を行うことができる。
【００２３】
「表示装置の構成」
図５は、表示装置の概略構成図である。
ここでは、前述したような表示装置１００の特徴点を実現するための構成について図５を用いて説明する。
表示装置１００は、表示パネル７０、画像信号供給部６０、画像信号処理部６１、制御部６３などから構成されている。
表示パネル７０は、液晶パネル５０、面発光装置としてのＢＬ１０、姿勢センサ６９などから構成されている。
表示パネル７０は、複数の画素（図２参照）を備えたアクティブマトリックス型の透過式のカラー液晶パネルである。
ＢＬ１０は、有機ＥＬ（Electro Luminescence）素子を光源として用いたバックライトであり、複数の発光画素を備えている。なお、ＢＬ１０については、後で詳しく説明する。
【００２４】
姿勢センサ６９は、加速度センサであり、液晶パネル５０の上辺近傍に取り付けられている。加速度センサとしては、３軸加速度センサを用いることができる。具体的には、ピエゾ抵抗型、静電容量型、熱検知型などの小型のＭＥＭＳ（Micro Electro Mechanical Systems）センサが好適である。
画像信号供給部６０は、平面画像を表す２次元画像信号や、または立体画像を表す３次元画像信号などの画像信号を供給する部位であり、例えば、ハードディスクや、不揮発性メモリなどの記憶媒体から構成される。または、外部のＤＶＤ（Digital Versatile Disk）再生機や、チューナなどの画像信号供給装置（いずれも図示せず）からの画像信号を、有線または無線で受信するインターフェース部であっても良い。
なお、画像信号供給部６０が供給する画像信号には、左右の視点で異なる画像を表す画像信号も含まれる。
【００２５】
画像信号処理部６１は、画像プロセッサであり、入力された画像データを液晶パネル５０にて表示するのに適切な画像信号に変換する。画像信号処理部６１には、ＡＤコンバータ（図示せず）が内蔵されており、アナログＲＧＢ信号などのアナログ画像信号が入力された場合には、デジタル画像信号に変換する。
また、画像信号処理部６１には、フレームメモリ６２が附属しており、変換されたデジタル画像信号、または、デジタル画像信号が入力された場合には、そのデジタル画像信号を、当該画像信号の持つ解像度でフレームメモリ６２に書込み、液晶パネル５０にて表示するのに適した解像度で読み出す。また、読み出す際には、データの補完、または間引きが適宜行われ、さらにＤＡ変換がなされた後、液晶パネル５０に供給される。
つまり、画像信号処理部６１は、ビデオスケーラであり、入力された画像信号の解像度や、方向（縦横）を、液晶パネル５０にて表示するのに適切な画像信号に変換する。
【００２６】
制御部６３は、ＣＰＵ（Central Processing Unit）であり、各部の動作を制御する。また、制御部６３には、記憶部６４と、操作部６５とが附属している。
記憶部６４は、例えば、フラッシュメモリなどの不揮発性のメモリにより構成されている。記憶部６４には、姿勢センサ６９からの検知データに基づいて、液晶パネル５０に供給する画像信号の縦横変換を行うための順序と内容を規定したプログラムを含み、表示装置１００の動作を制御するための様々なプログラムおよび付随するデータが記憶されている。当該プログラムには、２次元画像信号、および３次元画像信号が供給された場合におけるＢＬ１０の点灯態様を規定したプログラム、縦表示または横表示におけるＢＬ１０の点灯態様を規定したプログラムも含まれている。
【００２７】
また、当該データには、２次元画像信号、および３次元画像信号が供給された場合におけるＢＬ１０の駆動電圧データを規定したデータテーブルも含まれている。
操作部６５は、表示装置１００を操作するための複数の操作ボタン（図示せず）を備えている。複数の操作ボタンには、縦表示と横表示とを切換える切換えボタンも含まれている。
なお、上記各部には、例えば、リチウムイオン電池などの二次電池や、安定化電源などから構成された電源部からの出力配線（いずれも図示せず）が接続されており、安定した直流電力が供給されている。
【００２８】
ここで、このような構成を備えた表示装置１００において、フレームメモリ６２を用いて、２次元画像信号を縦横変換する場合の一例について説明する。なお、フレームメモリ６２のメモリセルは、図２の画素配列と同じであるものとして説明する。
まず、図１（ａ）における横表示の画像を形成する場合は、画素Ｐ11〜Ｐ1n、次いで画素Ｐ21〜Ｐ2n…、最後に画素Ｐm1〜Ｐmnという順番、換言すれば、画素行Ｐ11〜Ｐm1の順番で、１画面分の画像データが書き込まれたフレームメモリから、この順番で画像データを読み出す。なお、ここでは、画像信号における１画素当たりの画像を表すデータを画像データと表現する。つまり、横表示の場合は、書き込まれた順序と同じ順序で画像データを読み出せば良い。
ここで、フレームメモリ６２は、例えば、ＤＲＡＭなどから構成されたフレームバッファであり、画素ごとの画像データを対応するメモリセルに記憶しているため、書き込みの順序に関係なく、任意のアドレスから画像データを読み出すことが可能である。換言すれば、画像信号変換処理の際に、フレームメモリ６２からのデータ読み出し方向を変えることによって、生成される画像信号の方向（縦横）を変換することができる。
【００２９】
次に、図１（ａ）のように横表示された表示パネル７０を、９０°回転して、（ｂ）の縦表示に切換えた場合について説明する。なお、フレームメモリ６２へのデータ書き込みは、横表示のときと同様になされているものとして説明する。
この場合、横表示用の画像データが書き込まれたフレームメモリ６２から、Ｐ1n,Ｐ2n…Ｐmn、次いでＰ1n-1,Ｐ2n-1…Ｐmn-1…という順番、つまり、Ｐ1n列から、Ｐ1n-1列、Ｐ1n-2列、…Ｐ12列、Ｐ11列という順番で、画像データを読み出すことにより、縦表示の画像信号を生成することができる。なお、読み出す際には、縦表示に合わせて画像データの間引き、または補完が行われる。
これは、姿勢を横表示から縦表示に切換えたとしても、液晶パネル５０への画像信号（データ）の書き込み（走査駆動）方向は変わらないため、同じ書き込み方向で書き込んだときに、縦表示において画像が正対するような方向から画像データを読み出すことにより、縦横変換を実現するものである。
【００３０】
なお、これらの画像信号変換処理は、姿勢センサ６９による縦表示になったことを示す検知データをトリガとして、制御部６３が、記憶部６４の関連プログラム、およびデータに基づき各部を制御することにより行われる。
また、ここでは、画像信号の方向（縦横）変換の一例として、フレームメモリ６２からのデータ読み出し方向を変えることによって変換する方法について説明したが、他の変換方法であっても良い。液晶パネル５０の姿勢に応じた適切な画像信号が供給されれば良く、変換方法によって本願の特徴が限定されるものではない。
【００３１】
「表示パネルの構成」
図６（ａ）は、表示パネル７０の側断面図である。図６（ｂ）は、図６（ａ）におけるｑ部の分拡大図である。
続いて、図６（ａ），（ｂ）を用いて、表示パネル７０を構成する液晶パネル５０およびＢＬ１０の具体的な構造について説明する。
【００３２】
液晶パネル５０は、素子基板４１、対向基板４２、シール材４３、液晶４４などから構成されている。
液晶パネル５０は、対向する素子基板４１と対向基板４２との間に、例えば、ＴＮ型の液晶４４を挟持した透過型の液晶パネルである。液晶４４は、シール材４３によって囲まれた表示領域を含む領域に封入されている。なお、液晶４４を含む液晶パネル５０の種類は、ＶＡ（Vertical Alignment）方式、またはＩＰＳ（In Plane Switching）方式、若しくはＦＦＳ（Fringe Field Switching）方式であっても良い。
また、素子基板４１の背面側には偏光板４７が設けられ、対向基板４２の表面側には偏光板４８が設けられている。偏光板４７，４８は、吸収型偏光板であり、それぞれの透過偏光軸が略直交するように配置されている。なお、液晶パネル５０（表示パネル７０）における表示面とは、偏光板４８の表面を指す。
【００３３】
素子基板４１の液晶４４側には、画素電極領域４５が形成されている。画素電極領域４５には、図２で説明した複数の画素Ｐ11〜Ｐmnごとに画素電極が形成されている。また、画素電極領域４５の下層には、素子層が設けられており、素子層には、画素電極を表示駆動するための薄膜トランジスタ（いずれも図示せず）が、画素電極ごとに対応して形成されている。
なお、図示は省略しているが、液晶パネル５０は、平面的に対向基板４２から素子基板４１の一辺が突出した張出し部を備えており、張出し部には、画像信号処理部６１から供給される画像信号に基づき、液晶パネル５０を走査表示駆動するための走査線駆動回路や、データ線駆動回路が形成されている。
また、対向基板４２の液晶４４側には、カラーフィルタ領域４６、および共通電極（図示せず）が形成されている。カラーフィルタ領域４６には、図２で説明した複数の画素Ｐ11〜Ｐmnごとに画素電極と平面的に重なるように、ＲＧＢ各色用のカラーフィルタが形成されている。
【００３４】
ＢＬ１０は、基板１、平面発光部８などから構成されており、液晶パネル５０の背面に密着して配置されている。
基板１上には、反射層２、絶縁層３、ＢＬ画素電極４、有機機能層５、共通電極６、第１封止層７、第２封止層９が、この順番で積層されている。また、ＢＬ画素電極４が形成されている層のことを、ＢＬ電極層４ともいう。
平面発光部８は、このうち、反射層２から共通電極６までの積層部分を示している。また、平面発光部８において平面的にＢＬ画素電極４と重なる部分を発光画素Ｌとしている。
【００３５】
発光画素Ｌの有機機能層５で発した光のうち、シリコン窒化膜、またはシリコン酸化膜からなる第１封止層７側へ向かう光は、透明な当該層、および透明な樹脂からなる第２封止層９を通過して、液晶パネル５０に入射する。また、有機機能層５で発した光のうち、基板１側へ向かう光は、ＩＴＯ（Indium Tin Oxide）などの透明電極からなるＢＬ画素電極４、および透明な絶縁層３を透過した後、金属薄膜からなる反射層２で反射され、再度、各層を透過した後、液晶パネル５０に入射する。
つまり、ＢＬ１０は、ＢＬ画素電極４と共通電極６との間に電圧を印加することにより、第２封止層９側から光を出射するトップエミッション型の有機ＥＬ（Electro Luminescence）光源装置である。
【００３６】
また、反射層２は、ＢＬ画素電極４と同様に、平面的には発光画素Ｌごとに分割されている。具体的には、平面的にＢＬ画素電極４と同様な大きさに形成されている。
詳細は後述するが、反射層２は、配線層としての機能も果たしており、所定のＢＬ画素電極４間を電気的に接続するのに用いられている。
例えば、２つのＢＬ画素電極４Ａ，４Ｂを反射層２において接続する場合、各ＢＬ画素電極と、対応する下層の反射層２との間を、絶縁層３にコンタクトホール（スルホール）を設けて、それぞれ電気的に接続する。さらに、反射層２において、ＢＬ画素電極４Ａ，４Ｂに対応する反射層２間を繋ぐ配線を形成する。
また、ＢＬ電極層４も、配線層として機能する。例えば、隣り合う２つのＢＬ画素電極４が、同時に点灯駆動される画素電極であった場合、それらを繋ぐ配線をＩＴＯで形成しておけば、２つのＢＬ画素電極を電気的に１つの画素電極として扱うことができる。
【００３７】
なお、図６（ｂ）においては、簡略化のため有機機能層５を１層で示しているが、実際は、複数層から形成されている。具体的には、例えば、トリアリールアミン（ＡＴＰ）多量体からなる正孔注入層と、ＴＰＤ（トリフェニルジアミン）系材料からなる正孔輸送層と、アントラセン系ドーパントやルブレン系ドーパントを含むスチリルアミン系材料（ホスト）からなる発光層と、アルミニウムキノリノール（Ａｌｑ３）からなる電子注入層とを、この順に積層した積層体となっている。また、電子注入層上に、ＬｉＦからなる電子注入バッファ層がさらに形成されることもある。
【００３８】
「ＢＬの発光画素レイアウト、および点灯態様」
図７（ａ）は、ＢＬの平面的な発光画素配置を示す図である。図８は横表示における発光画素の点灯態様を示す図。図９は縦表示における発光画素の点灯態様を示す図である。
ここでは、図３および図４を用いて説明した横表示および縦表示における指向性表示を実現するためのＢＬの発光画素配置および発光態様について、図７〜９を用いて説明する。
図７（ａ）において、発光画素Ｌ（図６）は、横表示の時に選択的に点灯される発光画素Ｌｙと、縦表示の時に選択的に点灯される発光画素Ｌｔと、横表示時および縦表示時の両方において点灯される発光画素Ｌｃと、２次元画像を表示するときに点灯される発光画素Ｌａとの４種類から構成されている。なお、図７において、発光画素Ｌａには模様を付けてあるが、これは、図面を見易くするためであり、他意はない。
【００３９】
まず、２次元画像を表示する場合について説明する。
２次元画像を表示する場合、横表示または縦表示の表示姿勢に拘らず、全ての発光画素が点灯される。具体的には、４種類の発光画素Ｌｙ、Ｌｔ、Ｌｃ、Ｌａの全てが同時に点灯される。この時、各発光画素には、「ｕ」Ｖの駆動電圧が印加される。
なお、これらの動作や処理は、制御部６３（図５）が操作部６５への操作、または供給される画像信号の種類に応じて、記憶部６４の関連プログラム、およびデータに基づき各部を制御することにより行われる。また、以下説明する横表示、縦表示における動作や処理も、制御部６３が姿勢センサ６９による姿勢が変化したことを示す検知データ、または操作部６５への操作、若しくは供給される画像信号の種類をトリガとして、記憶部６４の関連プログラム、およびデータに基づき各部を制御することにより行われる。
【００４０】
続いて、横表示の場合、Ｘ軸（＋）方向に隣り合う２つの画素からなる画素対、例えば、「画素Ｐ11,Ｐ12」における画素間を跨ぐように配置された発光画素Ｌｙと、その発光画素ＬｙのＹ軸（−）方向に連続する発光画素Ｌｃ，Ｌｙの繰り返しからなる発光画素列Ｌｙ1が選択的に点灯される。また、同様に「画素Ｐ11,Ｐ12」からＸ軸（＋）方向に連続する画素対においても、各画素対を構成する画素間を跨ぐように配置された発光画素列Ｌｙ2，Ｌｙ3，Ｌｙ4…が選択的に点灯される。
なお、複数の発光画素Ｌｙおよび発光画素Ｌｃとからなる発光画素列Ｌｙ1，Ｌｙ2，Ｌｙ3…が横発光画素に相当する。
【００４１】
図８には、横表示におけるＢＬ１０の点灯態様が示されている。ここでは、一つの発光画素列Ｌｙ1を例にして説明する。
発光画素列Ｌｙ1から出射された光ＦRは、画素列Ｐ12を透過して、図３における視点ＶＲから観察される。また、発光画素列Ｌｙ1から出射された光ＦLは、画素列Ｐ11を透過して、図３における視点ＶＬから観察される。また、このとき、液晶パネル５０には３次元画像信号が供給されており、偶数画素列Ｐ12,Ｐ14，Ｐ16…には右目用の画像データが書き込まれ、奇数画素列Ｐ11,Ｐ13,Ｐ15…には左目用の画像データが書き込まれている。
つまり、図３を用いて説明したように、液晶パネル５０に対して右方向から観察する視点ＶＲからは、偶数画素列Ｐ12,Ｐ14，Ｐ16…に表示された画像が観察される。また、液晶パネル５０に対して左方向から観察する視点ＶＬからは、奇数画素列Ｐ11,Ｐ13,Ｐ15…に表示された画像が観察されることになる。
【００４２】
なお、図８においては、光ＦRと光ＦLとの進行方向の説明を容易にするために、ＢＬ１０と液晶パネル５０とを平面的に上下分離して描いている。
また、隣り合う発光画素列間、例えば、発光画素列Ｌｙ1と発光画素列Ｌｙ2との間や、発光画素列Ｌｙ2と発光画素列Ｌｙ3との間には、非点灯の発光画素Ｌａと発光画素Ｌｔとが複数繰り返して構成された非点灯の発光画素列が配置されている。
このため、横表示における発光画素列Ｌｙ1，Ｌｙ2，Ｌｙ3…は、Ｘ軸方向にストライプ状に観察される。
また、横表示において、各発光画素列Ｌｙ1，Ｌｙ2，Ｌｙ3…には、２次元画像表示における駆動電圧の２倍の駆動電圧「２ｕ」Ｖが印加される。
【００４３】
図７に戻る。
次に、縦表示の場合、Ｙ軸（−）方向に連続する２つの画素行からなる画素行対、例えば、「画素行Ｐ11,Ｐ21」における画素行間を跨ぐように配置された発光画素Ｌｔと、その発光画素ＬｔのＸ軸（＋）方向に連続する発光画素Ｌｃ，Ｌｔの繰り返しからなる発光画素行Ｌｔ1が選択的に点灯される。また、同様に「画素行Ｐ11,Ｐ21」からＹ軸（−）方向に連続する画素行対においても、各画素行対を構成する画素行間を跨ぐように配置された発光画素行Ｌｔ2，Ｌｔ3，Ｌｔ4…が選択的に点灯される。
なお、複数の発光画素Ｌｔおよび発光画素Ｌｃとからなる発光画素行Ｌｔ1，Ｌｔ2，Ｌｔ3…が縦発光画素に相当する。
また、前述した横表示および縦表示において消灯される発光画素Ｌａは、表示領域（画素領域）に重なる領域において、横発光画素および縦発光画素が形成されていない部分に配置された補完発光画素に相当する。
【００４４】
図９には、縦表示におけるＢＬ１０の点灯態様が示されている。ここでは、一つの発光画素行Ｌｔ1を例にして説明する。
発光画素行Ｌｔ1から出射された光ＦRは、画素行Ｐ11を透過して、図４における視点ＶＲから観察される。また、発光画素行Ｌｔ1から出射された光ＦLは、画素行Ｐ21を透過して、図４における視点ＶＬから観察される。また、このとき、液晶パネル５０には３次元画像信号が供給されており、奇数画素行Ｐ11,Ｐ31，Ｐ51…には右目用の画像データが書き込まれ、偶数画素行Ｐ21,Ｐ41,Ｐ61…には左目用の画像データが書き込まれている。
つまり、図４を用いて説明したように、液晶パネル５０に対して右方向から観察する視点ＶＲからは、奇数画素行Ｐ11,Ｐ31，Ｐ51…に表示された画像が観察される。また、液晶パネル５０に対して左方向から観察する視点ＶＬからは、偶数画素行Ｐ21,Ｐ41,Ｐ61…に表示された画像が観察されることになる。
【００４５】
なお、図９においては、光ＦRと光ＦLとの進行方向の説明を容易にするために、ＢＬ１０と液晶パネル５０とを平面的に上下分離して描いている。
また、隣り合う発光画素行間、例えば、発光画素行Ｌｔ1と発光画素行Ｌｔ2との間や、発光画素行Ｌｔ2と発光画素行Ｌｔ3との間には、非点灯の発光画素Ｌａと発光画素Ｌｙとが複数繰り返して構成された非点灯の発光画素行が配置されている。
このため、縦表示における発光画素行Ｌｔ1，Ｌｔ2，Ｌｔ3…は、Ｙ軸方向にストライプ状に観察される。
また、縦表示においても、各発光画素行Ｌｔ1，Ｌｔ2，Ｌｔ3…には、２次元画像表示における駆動電圧の２倍の駆動電圧「２ｕ」Ｖが印加される。
【００４６】
図７（ｂ）は、発光画素の配線態様を示す図である。
続いて、発光画素の配線態様について図６および図７を用いて説明する。
上述した通り、複数の発光画素Ｌｙ、複数の発光画素Ｌｔ、複数の発光画素Ｌｃ、複数の発光画素Ｌａの各々は、供給される画像信号の種類や、表示パネル７０の姿勢に応じて、同一種類の発光画素ごとに点灯および消灯される。
つまり、電気的には、４種類の発光画素Ｌｙ、Ｌｔ、Ｌｃ、ＬａにおけるＢＬ画素電極４を、それぞれ種類ごとに電気的に接続して、４つのセグメント電極として構成することができる。
【００４７】
具体的には、図６を用いて説明したように、配線層としてＢＬ電極層４、および反射層２を用いて、４種類の発光画素Ｌｙ、Ｌｔ、Ｌｃ、ＬａにおけるＢＬ画素電極４を、それぞれ種類ごとに電気的に接続する。
まず、発光画素Ｌｙについては、Ｘ軸方向に隣り合う発光画素ＬａのＹ軸（＋）方向の長さを少し短くすることによって生じた間隙に、ＢＬ電極層４において配線ｈ１を通すことにより、発光画素Ｌｙの各ＢＬ画素電極を電気的に接続し、行方向において１つのセグメント電極とする。
【００４８】
また、発光画素Ｌｔについても、Ｘ軸方向に隣り合う発光画素ＬｃのＹ軸（＋）方向の長さを少し短くすることによって生じた間隙に、ＢＬ電極層４において配線ｈ２を通すことにより、発光画素Ｌｔの各ＢＬ画素電極を電気的に接続し、行方向において１つのセグメント電極とする。
なお、発光画素Ｌａ、または発光画素Ｌｃの短くする長さは、例えば、０．１ｍｍ程度で良いため、視覚的に認識できないレベルである。または、あらかじめ各ＢＬ画素電極を一回り小さく設計し、発光画素間に配線を形成できるように構成しても良い。
【００４９】
また、発光画素Ｌｃについては、発光画素ごとにコンタクトホールによって自らの反射層と導通を取り、反射層の間隙を通る配線ｈ３によって、それぞれのＢＬ画素電極を電気的に接続し、行方向において１つのセグメント電極とする。
発光画素Ｌａについても、ＢＬ画素電極ごとにコンタクトホールによって自らの反射層と導通を取り、反射層の間隙を通る配線ｈ４によって、それぞれのＢＬ画素電極を電気的に接続し、行方向において１つのセグメント電極とする。
なお、配線ｈ３，ｈ４を設けるスペースが足りない場合は、Ｘ軸方向に隣り合う発光画素Ｌｔ、または発光画素Ｌｙの反射層におけるＹ軸方向の長さを短くしても良い。
このように、４種類の発光画素Ｌｙ、Ｌｔ、Ｌｃ、ＬａにおけるＢＬ画素電極４を、それぞれ種類ごとに電気的に接続して、４つのセグメント電極として構成している。
【００５０】
上述した通り、本実施形態に係る表示パネル７０、および表示装置１００によれば、以下の効果を得ることができる。
表示パネル７０によれば、横表示においては画素対ごとに、２つの画素間に跨って配置されたＢＬ１０の発光画素列Ｌｙ1，Ｌｙ2，Ｌｙ3…が選択的に点灯され、また、縦表示においては画素行対ごとに２つの画素行間に跨って配置された発光画素行Ｌｔ1，Ｌｔ2，Ｌｔ3…が選択的に点灯される。
従って、横表示および縦表示、それぞれにおいて指向性表示を行うことができる表示パネル７０を提供することができる。
【００５１】
また、面発光装置としてのＢＬ１０には、横発光画素を構成する発光画素Ｌｙ，Ｌｃと、縦発光画素を構成する発光画素Ｌｔ，Ｌｃと、当該両画素が配置されていない領域に形成されている補完発光画素としての発光画素Ｌａとが設けられている。
よって、２次元画像信号が供給されたときには、横発光画素、縦発光画素、および補完発光画素の全てを点灯することができる。従って、表示パネル７０によれば、液晶パネル５０の表示領域を均一に照明することが可能となり、明るさが均一な２次元画像を提供することができる。
【００５２】
表示パネル７０は、有機ＥＬ光源を備えたトップエミッション型のＢＬ１０を備えている。ＢＬ１０における平面発光部８の上層には、第１封止層７と第２封止層９との薄い封止層が２層積層されているのみであり、発光部から、液晶パネル５０までの距離を短くすることができる。
指向性表示を行う場合、視差バリアの機能を担うＢＬ１０と、液晶パネル５０との距離を短くすることにより、右視点ＶＲ、左視点ＶＬそれぞれにおいて当該視点側の画像のみを観察できる視野角（適視範囲）を広くすることができる。
【００５３】
ＢＬ１０に配置されている４種類の発光画素Ｌｙ、Ｌｔ、Ｌｃ、Ｌａは、４つのセグメントとして構成されている。
よって、ＢＬ１０の構成をシンプルにすることができる。また、制御部６３は、供給される画像信号の種類や、表示パネル７０の姿勢に応じて、電気的に４つの発光画素の点灯および消灯の制御を行えば良い。
従って、表示装置１００によれば、複雑な制御を必要とせずに、簡便な制御方法によってＢＬ１０の点灯制御を行うことができる。
【００５４】
表示装置１００は、液晶パネル５０の姿勢を検知する姿勢センサ６９を備えている。また、検知した検知データに基づき、画像信号の変換処理や、ＢＬ１０の点灯態様を制御するためのプログラムを含む複数の制御プログラムを記憶した記憶部６４、および当該プログラムを実行して、画像信号処理部６１や、ＢＬ１０などを制御する制御部６３を備えている。
よって、表示パネル７０の姿勢（縦横）が変化しても常に画像の上方が表示パネル７０の上方となるように、表示駆動を行うことができる。
従って、表示装置１００によれば、表示パネル７０の姿勢（縦横）が変化した場合であっても、常に正対した画像を表示することができる。また、同様に、３次元画像信号が供給されたときに、その姿勢、具体的には、横表示、または縦表示に合わせてＢＬ１０の点灯態様を切換えることができる。
【００５５】
さらに、横表示および縦表示の指向性表示においては、ＢＬ１０の発光画素に供給する駆動電圧を、２次元画像表示における駆動電圧の２倍としている。
従って、表示装置１００によれば、横表示および縦表示のいずれにおける指向性表示時も、２次元画像表示の場合と略同等の表示輝度の画像を提供することができる。
【００５６】
（実施形態２）
図１０（ａ）は、実施形態２に係るＢＬの平面的な発光画素配置を示す図である。図１１は、横表示における発光画素の点灯態様を示す図。図１２は、横表示における右目画像の態様を示す図。図１３は、横表示における左目画像の態様を示す図である。
以下、本発明の実施形態２に係る表示装置について、図１０〜１３を中心に説明する。
本実施形態における表示装置１００（図５）は、実施形態１のＢＬ１０とは異なる発光画素レイアウトを持つＢＬ２０を備えている。なお、図５においては、ＢＬ１０をＢＬ２０と読み換えるものとする。
ここでは、実施形態１における説明と重複する部分は省略し、ＢＬ２０の構成を中心に説明する。また、同一の構成部位については同一の番号を附して説明する。
【００５７】
本実施形態の表示装置１００は、横表示時の指向性表示において、ＢＬ２０の横発光画素を市松模様状に点灯するとともに、当該点灯態様に合わせた左右の画像データを供給することにより、横表示時の指向性表示における水平方向の解像度を改善したものである。
図１０（ａ）においても、図７（ａ）と同様に、発光画素Ｌは、横表示の時に選択的に点灯される発光画素Ｌｙと、縦表示の時に選択的に点灯される発光画素Ｌｔと、横表示時および縦表示時の両方において点灯される発光画素Ｌｃと、２次元画像を表示するときに点灯される発光画素Ｌａとの４種類から構成されている。なお、図１０において、発光画素Ｌａには模様を付けてあるが、これは、図面を見易くするためであり、他意はない。
【００５８】
まず、２次元画像を表示する場合について説明する。
２次元画像を表示する場合、横表示または縦表示の表示姿勢に拘らず、全ての発光画素が点灯される。具体的には、４種類の発光画素Ｌｙ、Ｌｔ、Ｌｃ、Ｌａの全てが同時に点灯される。また、この時、各発光画素には、「ｕ」Ｖの駆動電圧が印加される。
なお、これらの動作や処理は、実施形態１と同様に、制御部６３（図５）が操作部６５への操作、または供給される画像信号の種類に応じて、記憶部６４の関連プログラム、およびデータに基づき各部を制御することにより行われる。また、以下説明する横表示、縦表示における動作や処理も、同様である。
【００５９】
次に、横表示の場合、画素行の最上段におけるＸ軸（＋）方向に隣り合う２つの画素からなる画素対、例えば、「画素Ｐ11,Ｐ12」における画素間を跨ぐように配置された発光画素Ｌｙと、その発光画素ＬｙのＹ軸（−）方向に連続する発光画素Ｌｃとからなる発光画素対Ｌｙ11が選択的に点灯される。
また、同様に「画素Ｐ11,Ｐ12」からＸ軸（＋）方向に連続する画素対においても、各画素対を構成する画素間を跨ぐように配置された発光画素対Ｌｙ12，Ｌｙ13，Ｌｙ14…が選択的に点灯される。
【００６０】
また、最上段の画素行の下（Ｘ軸（−）側）の画素行では、隣り合う２つの画素からなる画素対、例えば、「画素Ｐ22,Ｐ23」における画素間を跨ぐように配置された発光画素Ｌｃと、その発光画素ＬｃのＹ軸（−）方向に連続する発光画素Ｌｙとからなる発光画素対Ｌｙ22が選択的に点灯される。また、「画素Ｐ22,Ｐ23」に隣り合う画素対においても、各画素対を構成する画素間を跨ぐように配置された発光画素対Ｌｙ21，Ｌｙ22…が選択的に点灯される。
以下、上述した２行の画素行のレイアウトが、Ｙ軸（−）方向に繰り返し配置される。なお、上記における発光画素列対Ｌｙ11，Ｌｙ12，Ｌｙ13，Ｌｙ14…が横発光画素に相当する。
【００６１】
図１１には、横表示におけるＢＬ２０の点灯態様が示されている。ここでは、二つの発光画素対Ｌｙ11,Ｌｙ22を例にして説明する。
発光画素対Ｌｙ11から出射された光ＦR1は、画素Ｐ12を透過して、図３における視点ＶＲから観察される。また、発光画素対Ｌｙ11から出射された光ＦL1は、画素Ｐ11を透過して、図３における視点ＶＬから観察される。同様に、発光画素対Ｌｙ22から出射された光ＦR2は、画素Ｐ23を透過して、図３における視点ＶＲから観察される。また、発光画素対Ｌｙ22から出射された光ＦL2は、画素Ｐ22を透過して、図３における視点ＶＬから観察される。
図１１に示されるように、ＢＬ２０の横表示における点灯態様は、発光画素対Ｌｙ11，Ｌｙ12，Ｌｙ13…が市松模様、換言すれば、チェック状に観察される。
【００６２】
ここで、液晶パネル５０には３次元画像信号が供給されており、画素Ｐ11,Ｐ22には左目用の画像データが書き込まれ、画素Ｐ12,Ｐ23には右目用の画像データが書き込まれている。
より詳しくは、図２において、画素列Ｐ11における奇数行の画素Ｐ11，Ｐ31，Ｐ51…には左目用の画像データが書き込まれ、偶数行の画素Ｐ21，Ｐ41，Ｐ61…には右目用の画像データが書き込まれる。つまり、画素列Ｐ11においては、最上段の画素Ｐ11からＹ軸（−）方向に、「左、右」の画像データがこの順番で繰り返し書き込まれる。
また、各画素行におけるＸ軸方向に隣り合う画素には「左、右」の画像データが、同じ方向の画像データが連続しないように、この順番で繰り返し書き込まれる。
【００６３】
図１２（ｂ）には、上述した横表示において、図３の左視点ＶＬから観察したときに観察される画素態様が示されている。
左視点ＶＬから観察される画素は、画素行Ｐ11では、画素Ｐ11，Ｐ13，Ｐ15…、画素行Ｐ21では、画素Ｐ22，Ｐ24，Ｐ26…、画素行Ｐ31では、画素Ｐ31，Ｐ33，Ｐ35…、となっている。また、各画素には左画像データが供給されていることを示す「左」という文字と、図２におけるカラーフィルタの色調ＲＧＢがそれそれ附されている。
ここで、水平（Ｘ軸）方向での解像度について考えてみる。
まず、左画像データにおけるＲＧＢからなる１つのカラー画素は、画素Ｐ11，Ｐ13，Ｐ22からなる三角状のデルタ配列から構成される。同様に、当該カラー画素のＸ軸（＋）方向には、画素Ｐ15，Ｐ24，Ｐ26からなるデルタ配列のカラー画素が構成されている。
【００６４】
図１２（ａ）は、本実施形態との比較図であり、実施形態１での横表示における図３の左視点ＶＬから観察したときに観察される画素態様が示されている。
図１２（ａ）の態様における１つのカラー画素は、画素Ｐ11，Ｐ13，Ｐ15からなる水平方向に直列した３つの画素から構成されている。このため、水平方向に現れる次のカラー画素は、画素Ｐ17，Ｐ19，Ｐ21となる。
例えば、Ｒ画素に着目すると、水平方向において画素Ｐ11の次に現れるＲ画素は、画素Ｐ17となるため、当該画素間には、５つの画素による間隙５PIXが開いている。
これに対して、図１２（ｂ）の画素配列において、同様に、Ｒ画素に着目すると、水平方向の同一画素行において画素Ｐ11の次に現れるＲ画素は、画素Ｐ17であるが、前述したデルタ配列による隣接カラー画素のＲ画素である画素Ｐ24が、水平方向で２画素分の間隙２PIX開けた位置にある。
画素Ｐ24は、画素行Ｐ11の１段下の画素行であるが、当該画素間の直線距離を示す矢印Ｙの長さが示す通り、間隙２PIXよりも少し長い程度で、間隙５PIXの半分以下であることは明らかである。
【００６５】
図１３（ｂ）には、横表示において、図３の右視点ＶＲから観察したときに観察される画素態様が示されている。
右視点ＶＲの場合も、左視点の場合と同様であり、右画像データにおける１つのカラー画素は、画素Ｐ12，Ｐ21，Ｐ23からなる三角状のデルタ配列から構成される。また、当該カラー画素のＸ軸（＋）方向には、画素Ｐ14，Ｐ25，Ｐ16からなるデルタ配列のカラー画素が構成されている。
図１３（ａ）は、本実施形態との比較図であり、実施形態１での横表示における図３の右視点ＶＲから観察したときに観察される画素態様が示されている。
図１３（ａ）の態様における１つのカラー画素は、画素Ｐ12，Ｐ14，Ｐ16からなる水平方向に直列した３つの画素から構成されており、水平方向に現れる次のカラー画素は、画素Ｐ18，Ｐ20，Ｐ22となる。
【００６６】
例えば、Ｇ画素に着目すると、水平方向において画素Ｐ12の次に現れるＧ画素は、画素Ｐ18となるため、当該画素間には、５つの画素による間隙５PIXが開いている。
これに対して、図１３（ｂ）の画素配列において、同様に、Ｇ画素に着目すると、水平方向の同一画素行において画素Ｐ12の次に現れるＧ画素は、画素Ｐ18であるが、前述したデルタ配列による隣接カラー画素のＧ画素である画素Ｐ25が、水平方向で２画素分の間隙２PIX開けた位置にある。
画素Ｐ25は、画素行Ｐ11の１段下の画素行であるが、当該画素間の直線距離を示す矢印Ｙの長さが示す通り、間隙２PIXよりも少し長い程度で、間隙５PIXの半分以下であることは明らかである。
つまり、横発光画素が水平方向にストライプ状に配置された図１２（ａ）、図１３（ａ）の態様と比べて、横発光画素がチェック状に配置された本実施形態の図１２（ｂ）、図１３（ｂ）の態様の方が、水平解像度が高くなっている。
【００６７】
図１０（ａ）に戻る。
次に、縦表示の場合について説明する。
縦表示の場合、Ｙ軸（−）方向に連続する２つの画素行からなる画素行対、例えば、「画素行Ｐ11,Ｐ21」における画素行間を跨ぐように配置された発光画素Ｌｔ，Ｌｃの繰り返しからなる発光画素行Ｌｔ1が選択的に点灯される。また、同様に「画素行Ｐ11,Ｐ21」からＹ軸（−）方向に連続する画素行対においても、各画素行対を構成する画素行間を跨ぐように配置された発光画素行Ｌｔ2，Ｌｔ3…が選択的に点灯される。
なお、複数の発光画素Ｌｔ，Ｌｃとからなる発光画素行Ｌｔ1，Ｌｔ2，Ｌｔ3…が縦発光画素に相当する。また、発光画素Ｌａは、補完発光画素に相当する。
【００６８】
縦表示におけるＢＬ２０の点灯態様は、実施形態１で説明した図９の態様と同一である。ここで、縦表示における水平解像度（この場合、Ｙ軸方向）について考えてみる。
まず、右視点ＶＲにおける一つのカラー画素は、図２および図９を参照して、画素Ｐ11，Ｐ12，Ｐ13から構成される。また、当該カラー画素から水平方向において一番近いカラー画素は、画素Ｐ31，Ｐ32，Ｐ33となる。
ここで、Ｒ画素に着目すると、Ｒ画素、画素Ｐ11から、Ｙ軸方向で一番近いＲ画素は画素Ｐ31であり、当該画素間の間隔は、画素Ｐ21と画素Ｐ31の一部を加えた長さである。この間隔は、Ｘ軸方向における隣り合うカラー画素間の間隔、例えば、画素Ｐ11から画素Ｐ14までの間隔よりは長いものの、横表示における比率と比べて、その差が小さい。
つまり、縦表示における水平解像度は、垂直方向の解像度と然程変わらないため、観察時の違和感は少ないといえる。また、当該解像度は、画素間の距離からして前述した横表示におけるカラー画素の解像度と略同等である。
なお、横表示、または縦表示の場合には、各発光画素に２次元画像における駆動電圧の２倍の駆動電圧「２ｕ」Ｖが印加されることも、実施形態１と同様である。
【００６９】
図１０（ｂ）は、発光画素の配線態様を示す図である。
続いて、発光画素の配線態様について図１０（ｂ）を用いて説明する。
まず、発光画素Ｌｙについては、Ｘ軸方向に隣り合う発光画素Ｌａを少し削り、ＢＬ電極層４（図６）において配線ｈ１１を通すことにより、発光画素Ｌｙの各ＢＬ画素電極を電気的に接続し、行方向において１つのセグメント電極とする。
同様に、発光画素Ｌｔについても、ＢＬ電極層４において、Ｘ軸方向に隣り合う発光画素Ｌｃ間をジグザグ状に通る配線ｈ１２を設けることにより、発光画素Ｌｔの各ＢＬ画素電極を電気的に接続し、行方向において１つのセグメント電極とする。
また、発光画素Ｌｃについては、ＢＬ画素電極ごとにコンタクトホールによって自らの反射層２（図６）と導通を取り、反射層の間隙を通る配線ｈ１３によって、それぞれのＢＬ画素電極を電気的に接続し、行方向において１つのセグメント電極とする。
発光画素Ｌａについても、ＢＬ画素電極ごとにコンタクトホールによって自らの反射層と導通を取り、反射層の間隙を通る配線ｈ１４によって、それぞれのＢＬ画素電極を電気的に接続し、行方向において１つのセグメント電極とする。
【００７０】
このようにして、４種類の発光画素Ｌｙ、Ｌｔ、Ｌｃ、ＬａにおけるＢＬ画素電極４（図６）を、それぞれ種類ごとに電気的に接続して、４つのセグメント電極として構成することができる。
なお、配線態様は、上記の接続方法に限定するものではなく、ＢＬ電極層、および反射層を配線層として用いて、４種類の発光画素をまとめて４つのセグメント電極として構成できる配線パターンであれば良い。
【００７１】
上述した通り、本実施形態によれば、実施形態１における効果に加えて、以下の効果を得ることができる。
ＢＬ２０によれば、横表示において、縦方向に連続する画素行における横発光画素の位置が、画素行ごとに画素一つ分ずつ横（Ｘ軸）方向にシフトして配置されている、換言すれば、横発光画素が市松模様状に配置されている。
よって、ＢＬ２０のカラー画素における水平解像度を、ＢＬ１０のカラー画素に比べて、高くすることができる。
従って、横表示において水平および垂直方向の解像度差が小さい、なめらかな指向性表示を可能とした表示装置１００を提供することができる。
【００７２】
ＢＬ２０を備えた表示装置１００によれば、横表示、および縦表示におけるカラー画素の解像度は、略同等となる。
従って、横表示、および縦表示のいずれにおいても、同等の解像度の指向性表示を可能とした表示装置１００を提供することができる。
【００７３】
（電子機器）
図１４は、各実施形態、および変形例に係る表示装置１００を搭載した電子機器としての携帯電話を示す図である。
前記各実施形態、および変形例に係る表示装置１００は、例えば、電子機器としての携帯電話３００に搭載して用いることができる。
携帯電話３００は、本体部３５０と、当該本体部に対して開閉自在に設けられた表示部３７０とを備えるとともに、表示装置１００を内蔵している。
本体部３５０には、複数の操作ボタンを有する操作部３６５が設けられており、当該操作ボタンには、表示装置１００の操作部６５（図５）の機能も含まれている。
表示部３７０には、表示パネル７０が組み込まれている。
携帯電話３００によれば、表示パネル７０の姿勢に対応して常に正対した画像を表示することができる。また、横表示および縦表示それぞれにおいて指向性表示を行うことができる。
【００７４】
また、携帯電話の態様は、図１４に示した折畳み式に限定するものではなく、矩形状の表示パネルを備えた携帯電話であれば良い。
例えば、本体部３５０に対して表示部３７０が折畳み、および旋回可能に設けられた携帯電話であっても良い。または、図１のＭＭＰ２００のように一体型の携帯電話や、一体型の本体部に操作部が収納されているスライド式の携帯電話であっても良い。
また、電子機器としては、携帯電話に限定するものではなく、矩形状の表示パネルを備えた電子機器であれば良い。
例えば、カーナビゲーションシステム用の表示装置や、ＰＤＡ（Personal Digital Assistants）、モバイルコンピュータ、デジタルカメラ、デジタルビデオカメラ、車載機器、オーディオ機器などの各種電子機器に用いることができる。
【００７５】
なお、本発明は上述した実施形態に限定されず、上述した実施形態に種々の変更や改良などを加えることが可能である。変形例を以下に述べる。
【００７６】
（変形例１）
図１５は、変形例１に係るＢＬの平面的な発光画素配置を示す図である。
ＢＬ２５は、図１０におけるＢＬ２０の発光画素レイアウトを簡略化したバックライトである。
以下、図１５および図１０を用いて、前記実施形態における記載と重複する部分は省略して説明する。なお、同一の構成部位については、同一の番号を附して説明する。
【００７７】
ＢＬ２５は、図１０におけるＢＬ２０の４種類の発光画素Ｌｙ、Ｌｔ、Ｌｃ、Ｌａのうち、発光画素Ｌｃを省略した発光画素レイアウトとなっている。換言すれば、ＢＬ２５は、発光画素Ｌｙ、Ｌｔ、Ｌａの３種類の発光画素から構成されている。
具体的には、図１０における発光画素Ｌｙ11における発光画素は、上段に位置する発光画素Ｌｙと、当該発光画素の下に配置された発光画素Ｌｃとから構成されていたが、ＢＬ２５では、発光画素Ｌｙを発光画素Ｌｃの領域まで伸ばすことにより、発光画素Ｌｃをなくしている。
同様に、図１０における発光画素Ｌｙ21における発光画素は、上段に位置する発光画素Ｌｃと、当該発光画素の下に配置された発光画素Ｌｙとから構成されていたが、ＢＬ２５では、発光画素Ｌｙを発光画素Ｌｃの領域まで伸ばすことにより、発光画素Ｌｃをなくしている。また、他の隣り合う発光画素、および発光画素行においても同様である。
【００７８】
また、各発光画素の配線については、図１０（ｂ）と同様に、発光画素Ｌｙと、発光画素Ｌｔについては、配線層としてＢＬ電極層４（図６）を用いて配線する。発光画素Ｌａについては、配線層として反射層２（図６）を用いて配線する。
なお、この構成の場合、縦発光画素の発光態様が、図９のようなライン状とはならず、削減した発光画素Ｌｃ（図１０）分が凹形状となったレイアウトとなるが、この態様であっても縦表示における指向性表示を行うことができる。
また、例えば、凹形状があまり深くなり過ぎないように、横表示画素のＹ軸方向の長さを短くしたり、または、縦表示のときには、各縦発光画素に「２．５ｕ」Ｖの電圧を印加するなどの工夫をすることにより、縦表示における画像品質を図１０のＢＬ２０に近づけることができる。
よって、これらの構成であっても、実施形態２と略同様な作用効果を得ることができる。また、本変形例のＢＬ２５は、３種類の発光画素Ｌｙ、Ｌｔ、Ｌａのから構成されているため、実施形態２のＢＬ２０よりも構成がシンプルである。
従って、ＢＬ２５を安価に構成することができる。また、電気的に３つの発光画素の点灯および消灯の制御を行えば良いため、簡便な制御方法によって点灯制御を行うことができる。
【００７９】
（変形例２）
図２を用いて説明する。
前記各実施形態、および変形例においては、図２に示すように、ＲＧＢに対応した画素Ｐ11，Ｐ12，Ｐ13から１つの略正方形のカラー画素を形成し、そのカラー画素を繰り返し配置する画素配列を採用していた。換言すれば、Ｙ軸方向に長い長方形の画素を、Ｘ軸方向に３つ並べて略正方形からなる１つのカラー画素を形成する画素配列を採用していたが、カラー画素の態様をこれに限定するものではない。
具体的には、１つのカラー画素内におけるカラーフィルタの配列は、ＲＧＢの各色が含まれていれば良く、ＢＲＧであっても良いし、ＧＢＲであっても良い。
また、カラー画素の形状は正方形であることに限定されず、表示される画像コンテンツなどの用途に応じて変更しても良い。例えば、カラー画素の形状は長方形であっても良く、その場合、カラー画素の３画素の形状もそれに合わせて変更する。
これらの構成であっても、前記各実施形態、および変形例と略同様な作用効果を得ることができる。
【００８０】
（変形例３）
前記各実施形態、および変形例において、ＢＬ１０，２０，２５は、複数の発光画素を備えたトップエミッション型のバックライトであるものとして説明したが、前述したような複数の発光画素を備えた面発光装置であれば良い。
例えば、ＢＬは、発光画素電極が形成された基板側から光を出射するボトムエミッション型の有機ＥＬ光源装置であっても良い。または、複数の発光画素としてＬＥＤ（Light Emitting Diode）を用いた面発光装置であっても良い。
また、前記各実施形態、および変形例において、発光画素を種類ごとに１つのセグメントとして駆動していたが、１つの発光画素ごとに駆動する構成であっても良い。例えば、図１０における複数の発光画素それぞれに駆動用の薄膜トランジスタを設け、個別に点灯制御することであっても良い。なお、この場合、薄膜トランジスタは、図６（ｂ）のＢＬ電極層４の下層側における基板１に形成する。
これらの構成であっても、前記各実施形態、および変形例と略同様な作用効果を得ることができる。
【００８１】
（変形例４）
図７を用いて説明する。
前記各実施形態、および変形例においては、横発光画素Ｌｙは２画素分のピッチで配置され、また、縦発光画素Ｌｔは２画素行分のピッチで配置されていたが、発光画素の配置ピッチは、画素ピッチ、および画素行ピッチに依存していなくても良い。
例えば、横発光画素Ｌｙの配置ピッチが２画素分よりも短い場合であっても、横発光画素Ｌｙの幅を広げたり、または、配置ピッチを１つ置きに長短とすることによって、横発光画素Ｌｙが２画素の間を跨るように配置されれば良い。
つまり、発光画素の配置ピッチが画素ピッチ、および画素行ピッチに依存していなくても、結果的に、横発光画素Ｌｙが２画素の間を跨るように配置され、また、縦発光画素Ｌｔが２画素行間に跨るように配置される画素レイアウトであれば良い。
これらの構成であっても、前記各実施形態、および変形例と略同様な作用効果を得ることができる。
【図面の簡単な説明】
【００８２】
【図１】（ａ）実施形態１に係る表示装置を備えた電子機器における横表示の態様図、（ｂ）縦表示の態様図。
【図２】表示装置における表示領域の平面図。
【図３】横表示における指向性表示の説明図。
【図４】縦表示における指向性表示の説明図。
【図５】表示装置の概略構成図。
【図６】（ａ）表示パネルの側断面図、（ｂ）ｑ部の部分拡大図。
【図７】（ａ）ＢＬの平面的な発光画素配置図、（ｂ）発光画素の配線態様図。
【図８】横表示における発光画素の点灯態様図。
【図９】縦表示における発光画素の点灯態様図。
【図１０】（ａ）実施形態２に係るＢＬの平面的な発光画素配置図、（ｂ）発光画素の配線態様図。
【図１１】横表示における発光画素の点灯態様図。
【図１２】（ａ）実施形態１におけるＢＬの横表示における左目画像の態様図、（ｂ）実施形態２におけるＢＬの横表示における左目画像の態様図。
【図１３】（ａ）実施形態１におけるＢＬの横表示における右目画像の態様図、（ｂ）実施形態２におけるＢＬの横表示における右目画像の態様図。
【図１４】電子機器としての携帯電話を示す図。
【図１５】変形例１に係るＢＬの平面的な発光画素配置図。
【符号の説明】
【００８３】
１０，２０，２５…面発光装置としてのＢＬ（バックライト）、５０…液晶パネル、６１…画像信号処理部、６３…制御部、６４…記憶部、６９…姿勢センサ、７０…表示パネル、１００…表示装置、２００…電子機器としてのＭＭＰ、３００…電子機器としての携帯電話、Ｐ11〜Ｐmn…画素、Ｐ11〜Ｐm1…画素行、Ｐ11〜Ｐ1n…画素列、Ｌ，Ｌｙ，Ｌｔ，Ｌｃ…発光画素、Ｌａ…補完発光画素。
【図１】
2010032678.tif 000003
【図２】
2010032678.tif 000004
【図３】
2010032678.tif 000005
【図４】
2010032678.tif 000006
【図５】
2010032678.tif 000007
【図６】
2010032678.tif 000008
【図７】
2010032678.tif 000009
【図８】
2010032678.tif 000010
【図９】
2010032678.tif 000011
【図１０】
2010032678.tif 000012
【図１１】
2010032678.tif 000013
【図１２】
2010032678.tif 000014
【図１３】
2010032678.tif 000015
【図１４】
2010032678.tif 000016
【図１５】
2010032678.tif 000017